(57)【要約】【課題】絶縁基板１２の上面に、発光ダイオードチップ１５を搭載し、更に、この発光ダイオードチップを密封する透明体によるパッケージ体１６，１６′を設けて成るチップ型ＬＥＤにおいて、平面視において、対角線に沿って外向きに出射される光量を多くする。【解決手段】前記パッケージ体１６のうち前記発光ダイオードチップにおける四つの角部に該当する部分をレンズ部１６ａに構成するか、前記パッケージ体１６′のうち前記発光ダイオードチップにおける四つの各側面に対面する部分に、光を平面視で当該対角線に沿って外向きの方向に屈折するようにした光の屈折面１６ｅ′，１６ｆ′を設ける。【選択図】                        図３
2004288698.tif 000002
【特許請求の範囲】
【請求項１】
絶縁基板の上面に、平面視で矩形にした発光ダイオードチップを搭載し、更に、この発光ダイオードチップを密封する透明体によるパッケージ体を設けて成るチップ型ＬＥＤにおいて、
前記パッケージ体のうち前記発光ダイオードチップにおける四つの角部に該当する部分を、前記発光ダイオードチップにおける各側面から出射される光を平面視で当該対角線に沿って外向きの方向に集光するようにしたレンズ部に構成することを特徴とするチップ型ＬＥＤ。
【請求項２】
絶縁基板の上面に、平面視で矩形にした発光ダイオードチップを搭載し、更に、この発光ダイオードチップを密封する透明体によるパッケージ体を設けて成るチップ型ＬＥＤにおいて、
前記パッケージ体のうち前記発光ダイオードチップにおける四つの各側面に対面する部分に、前記発光ダイオードチップにおける各側面から出射される光を平面視で当該対角線に沿って外向きの方向に屈折するようにした光の屈折面を設けることを特徴とするチップ型ＬＥＤ。
【発明の詳細な説明】
【０００１】
【発明の属する技術分野】
本発明は、光源としての発光ダイオードチップを透明体製のパッケージ体にて密封して成る構造のチップ型ＬＥＤに関するものである。
【０００２】
【従来の技術】
図６は、従来におけるチップ型ＬＥＤを示す斜視図であり、このチップ型ＬＥＤ１は、左右両端に端子電極３，４を形成して成るチップ型絶縁基板２の上面に、発光ダイオードチップ５を、前記両端子電極３，４に電気的に接続するように搭載し、更に、前記絶縁基板２の上面に、前記発光ダイオードチップ５を密封する透明体によるパッケージ体６を設けるという構成にしている（特許文献１参照）。
【０００３】
この場合、従来のチップ型ＬＥＤ１においては、そのパッケージ体６を、平面視で、当該パッケージ体６における四つの各側面６ａを前記発光ダイオードチップ５における四つの各側面５ａと平行にした矩形に形成しているから、以下に述べるような問題があった。
【０００４】
【特許文献１】
特開平１０−５０７３４号公報
【０００５】
【発明が解決しようとする課題】
すなわち、発光ダイオードチップ５を密封するパッケージ体６が、平面視におてい、その各側面６ａを前記発光ダイオードチップ５における各側面５ａと平行にした矩形であることにより、前記発光ダイオードチップ５においてその各側面から外向きに出射した光は、主として、前記パッケージ体６における各側面６ａよりこれと略直角の方向に出射されることになる。
【０００６】
従って、前記した構成にチップ型ＬＥＤ１の複数個を、図７に示すように、携帯電話器Ａ等においてマトリックス状に並べて設けられている複数個のキースイッチＢに対するバックライト光源として使用するために、前記各キースイッチＢの裏側の部分に、当該各チップ型ＬＥＤ１が前記各キースイッチＢの間の部位に位置するようにマトリックス状に並べて配設したとき、各チップ型ＬＥＤ１のパッケージ体６における各側面６ａからの光は、専ら、前記各キースイッチＢの間の部位に向かって出射されることになって、各キースイッチＢの部分に光が届き難くなり、各キースイッチＢの部分に対する照明が弱くなるから、各キースイッチＢの部分を充分に照明するためには、それだけ発光量の大きいチップ型ＬＥＤを使用しなければならない。
【０００７】
本発明は、この問題を解消したチップ型ＬＥＤを提供することを技術的課題とするものである。
【０００８】
【課題を解決するための手段】
この技術的課題を達成するため本発明の請求項１は、
「絶縁基板の上面に、平面視で矩形にした発光ダイオードチップを搭載し、更に、この発光ダイオードチップを密封する透明体によるパッケージ体を設けて成るチップ型ＬＥＤにおいて、
前記パッケージ体のうち前記発光ダイオードチップにおける四つの角部に該当する部分を、前記発光ダイオードチップにおける各側面から出射される光を平面視で当該対角線に沿って外向きの方向に集光するようにしたレンズ部に構成する。」
ことを特徴としている。
【０００９】
また、本発明の請求項２は、
「絶縁基板の上面に、平面視で矩形にした発光ダイオードチップを搭載し、更に、この発光ダイオードチップを密封する透明体によるパッケージ体を設けて成るチップ型ＬＥＤにおいて、
前記パッケージ体のうち前記発光ダイオードチップにおける四つの各側面に対面する部分に、前記発光ダイオードチップにおける各側面から出射される光を平面視で当該対角線に沿って外向きの方向に屈折するようにした光の屈折面を設ける。」
ことを特徴としている。
【００１０】
【発明の作用・効果】
このように構成することにより、発光ダイオードチップから出射される光のうち、平面視において対角線に沿って外向きに出射される光の量を多くすることができる。
【００１１】
従って、本発明によるチップ型ＬＥＤを、携帯電話器等においてマトリックス状に並べて設けられている複数個のキースイッチに対するバックライト光源として使用するために、前記各キースイッチの裏側の部分に、当該各チップ型ＬＥＤが前記各キースイッチの間の部位に位置するようにマトリックス状に並べて配設したとき、前記各キースイッチの部分を、発光ダイオードチップにおける発光量を大きくすることなく、確実に照明することができる。
【００１２】
【発明の実施の形態】
以下、本発明の実施の形態を図面について説明する。
【００１３】
図１〜図４は、第１の実施の形態によるチップ型ＬＥＤ１１を示す。
【００１４】
この第１の実施の形態によるチップ型ＬＥＤ１１は、チップ型に構成した絶縁基板１２と、この絶縁基板１２における両端に形成した端子電極１３，１４と、前記絶縁基板１２の上面に両極を前記両端子電極１３，１４に対して電気的に接続するようにして搭載した発光ダイオードチップ１５と、前記絶縁基板１２の上面に前記発光ダイオードチップ１５を密封するように設けた透明体製のパッケージ体１６とに構成されている。
【００１５】
前記発光ダイオードチップ１５は、平面視で四つのの側面１５ａを有する矩形に構成され、一方の端子電極１３から延長したパッド部１３ａにダイボンディングされ、他方の端子電極１４に対して細い金属線１８にてワイヤボンディングされている。
【００１６】
そして、前記パッケージ体１６における側面のうち、平面視において、前記発光ダイオードチップ１５における四つの角部１５ｂに該当する部分を、レンズ部１６ａに形成する。
【００１７】
このように構成することにより、前記発光ダイオードチップ１５における各側面１５ａから外向きに出射された光は、パッケージ体１６における四つの各レンズ部１６ａによって集光されることにより、前記各角部１５ｂを結ぶ対角線に沿って外向きの方向に多くの光が出射されるというように、対角線に沿って外向きの方向に出射される光量を多くすることができる。
【００１８】
従って、この構成によるチップ型ＬＥＤ１１の複数個を、図４に示すように、携帯電話器Ａ等においてマトリックス状に並べて設けられている複数個のキースイッチＢに対するバックライト光源として使用するために、前記各キースイッチＢの裏側の部分に、当該各チップ型ＬＥＤ１が前記各キースイッチＢの間の部位に位置するようにマトリックス状に並べて配設したとき、前記各レンズ部１６ａの部分から対角線に沿って外向きの方向に出射された多くの光は、前記各キースイッチＢの部分に到達するから、前記各キースイッチＢの部分を確実に照明できる。
【００１９】
次に、図５は、第２の実施の形態によるチップ型ＬＥＤ１１′を示す。
【００２０】
この第２の実施の形態によるチップ型ＬＥＤ１１′は、前記絶縁基板１２の上面において発光ダイオードチップ１５を密封するパッケージ体１６′を、平面視において、当該パッケージ体１６′における各側面１６ｂ′を発光ダイオードチップ１５における各側面１５ａと平行にした相似の矩形にし、更に、このパッケージ体１６′における各側面１６ｂ′のうち中央の部分にＶ字状の凹み部１６ｃ′を設けることにより、このＶ字状凹み部１６ｃ′における両底面を、前記発光ダイオードチップ１５における各側面１５ａから外向きに出射される光を、平面視において、前記パッケージ体１６′における四つの角部１６ｄ′の方向に屈折するようにした光の屈折面１６ｅ′，１６ｆ′にしたものである。
【００２１】
このように構成することにより、前記発光ダイオードチップ１５から外向きに出射された光は、パッケージ体１６における各側面１６ｂ′に設けた光の屈折面１６ｅ′，１６ｆ′にて前記パッケージ体１６′における四つの角部１６ｄ′の方向に屈折されることにより、前記各角部を結ぶ対角線に沿って外向きの方向に多くの光が出射されるというように、対角線に沿って外向きの方向に出射される光量を多くすることができる。
【００２２】
従って、この構成のチップ型ＬＥＤ１１′は、携帯電話器Ａ等においてマトリックス状に並べて設けられている複数個のキースイッチＢに対するバックライト光源として使用した場合において、前記第１の実施の形態によるチップ型ＬＥＤ１１と同様に、前記各キースイッチＢの部分を確実に照明することができる。
【図面の簡単な説明】
【図１】第１の実施の形態によるチップ型ＬＥＤを示す斜視図である。
【図２】図１のＩＩ−ＩＩ視断面図である。
【図３】図２のＩＩＩ  −ＩＩＩ  視平断面図である。
【図４】前記第１の実施の形態によるチップ型ＬＥＤの使用例を示す斜視図である。
【図５】第２の実施の形態によるチップ型ＬＥＤを示す平面図である。
【図６】従来のチップ型ＬＥＤを示す斜視図である。
【図７】前記従来のチップ型ＬＥＤの使用例を示す斜視図である。
【符号の説明】
１１，１１                      チップ型ＬＥＤ
１２                            絶縁基板
１３，１４                      端子電極
１５                            発光ダイオードチップ
１５ａ                          発光ダイオードチップの側面
１５ｂ                          発光ダイオードチップの角部
１６，１６′                    パッケージ体
１６ａ                          レンズ部
１６ｂ′                        パッケージ体の側面
１６ｅ′，１６ｆ′              光の屈折面
１６ｄ′                        パッケージ体の角部
【図１】
2004288698.tif 000003
【図２】
2004288698.tif 000004
【図３】
2004288698.tif 000005
【図４】
2004288698.tif 000006
【図５】
2004288698.tif 000007
【図６】
2004288698.tif 000008
【図７】
2004288698.tif 000009